(57)【要約】本発明はディジタル画像を処理する方法および装置に関する。装置は種々の表示モードを使用して画像（Ｍｉ'，Ｍｉ''）をサーバからデコーダに伝送する。画像は第１の画像の符号化が第２の画像を符号化するために使用される依存的なやり方で符号化されている。方法はサーバからデコーダへの画像の伝送の順序をこの画像とデコーダによって要求される表示モードとの関係に応じて決定する。
2005534259.tif 000002
【特許請求の範囲】
【請求項１】
ディジタル画像を処理する方法であって、
種々の表示モードを使用してサーバ（２０２）からデコーダ（２０８，２０６）に画像（Ｍｉ'，Ｍｉ''）を伝送し、該画像は第１の画像の符号化が第２の画像を符号化するために使用される依存的なやり方で符号化する、ディジタル画像を処理する方法において、
前記サーバから前記デコーダへの前記画像の伝送の順序を、前記画像と前記デコーダによって要求される表示モードとの関係に応じて決定することを特徴とする、ディジタル画像を処理する方法。
【請求項２】
前記デコーダ（２０６，２０８）によって使用される表示モードを前記サーバ（２０２）に伝送し、該サーバ（２０２）は前記デコーダ（２０６，２０８）によって使用される前記表示モードに応じて伝送を実施する、請求項２記載の方法。
【請求項３】
前記サーバ（２０２）が前記デコーダ（２０６，２０８）に符号化された画像（Ｍｉ'，Ｍｉ''）を伝送する時、前記サーバは該符号化された画像の伝送に並行に、前記デコーダによる各画像の処理を可能にする情報を包含する各画像に関連する命令（Ｃｉ'，Ｃｉ''）を伝送する、請求項３記載の方法。
【請求項４】
前記情報は
−前記画像は表示されるべきか否かを指示するフィールド（Ｄｉｓｐｌａｙ）と、
−前記画像は復号されるべきか否かを指示するフィールド（Ｄｅｃｏｄｅ）と、
−前記画像（Ｍｉ'）を復号後に前記デコーダ（２０６）のどのメモリバッファに記憶するかを指示するフィールド（ＢｕｆｆＮｒ）と、
−前記画像の復号に使用される画像を包含する前記メモリバッファのインデクス番号を指示するフィールド（Ｐ＿ＢｕｆｆＮｒ，Ｉ＿ＢｕｆｆＮｒ）と、
−前記画像の表示の方向を指示するフィールド（Ｆｏｒｗａｒｄ）とを包含する、請求項３記載の方法。
【請求項５】
端末が符号化された画像（Ｍｉ'）および各画像に関連する命令（Ｃｉ'）を受信すると、該命令（Ｃｉ'）を第１のメモリバッファ（２１２）に伝送し、符号化された画像を別のメモリバッファ（２１４ｂ）に伝送する、請求項４記載の方法。
【請求項６】
前記第１のメモリバッファ（２１２）に記憶されている前記命令を該メモリバッファに記憶された順序に応じて処理する、請求項３から５までのいずれか１項記載の方法。
【請求項７】
表示の方向、すなわち画像が表示される順序によって、ならびに可変数の画像が同一に処理される画像のグループについて表示される表示の速度によって規定される表示モードを使用する、請求項１から６までのいずれか１項記載の方法。
【請求項８】
前記デコーダが表示モードを変更すると前記第１のメモリバッファ（２１２）のサイズを低減する、請求項５から７までのいずれか１項記載の方法。
【請求項９】
前記デコーダが表示モードを変更すると前記第１のメモリバッファ（２１２）を空にする、請求項５から８までのいずれか１項記載の方法。
【請求項１０】
ディジタル画像を処理する装置であって、
種々のモードを使用してサーバ（２０２）からデコーダ（２０６，２０８）に画像を伝送する手段を有し、前記画像（Ｍｉ'，Ｍｉ''）は第１の画像の符号化が第２の画像を符号化するために使用される依存的なやり方で符号化されている、ディジタル画像を処理する装置において、
前記サーバ（２０２）からデコーダ（２０６，２０８）への画像の伝送の順序を、前記画像と前記デコーダ（２０６，２０８）によって要求される表示モードとの関係に応じて決定する手段を有し、
有利には請求項１から９までのいずれか１項記載の方法の実施に適していることを特徴とする、ディジタル画像を処理する装置。
【請求項１１】
コンピュータプログラム製品において、
プログラムがコンピュータにおいて実行される場合、請求項１から９までのいずれか１項記載のディジタル画像を処理する方法のステップを実行するプログラムコード指示を包含することを特徴とする、コンピュータプログラム製品。
【発明の詳細な説明】
【技術分野】
【０００１】
本発明はディジタル画像を処理する方法および装置に関する。
【０００２】
種々のモードによるディジタルデータを用いて符号化された画像のシーケンスを表示することが公知であり、この際表示モードは表示される画像の数に依存する表示の方向および速度によって規定される。例えば、５つの連続する画像Ｍ１，Ｍ２，Ｍ３，Ｍ４およびＭ５を含むシーケンスを、画像Ｍ１，Ｍ２，Ｍ３，Ｍ４およびＭ５が連続して表示されるような方向および速度に対応するモードにより表示することができる。
【０００３】
別のモードによれば、表示方向は第１のモードに関して反転され、一方シーケンスの表示速度は画像Ｍ５，Ｍ３およびＭ１のみが連続して表示されるよう加速されている。
【０００４】
最後の例によれば、シーケンスの表示の速度はゼロであり、その結果１つの画像、例えばＭ１が継続的に表示される。
【０００５】
さらには、シーケンスの第２の画像の符号化を実施するために、このシーケンスの第１の画像の符号化を使用して、画像のシーケンスのディジタル画像を符号化することが公知である。以下本明細書においては、そのような画像は依存的であると称する。
【０００６】
シーケンスの符号化された画像は、例えばこのシーケンスがMotion Picture Expert Group（ＭＰＥＧ）規格により符号化されている場合には依存的である。
【０００７】
このＭＰＥＧ規格に関連して、画像の符号化は以下の３つのカテゴリの内の１つに符号化された画像を関連させることが想起される：
−いわゆる内部（Ｉ）画像のカテゴリ、内部画像（intra image）は他の画像の復号を要求することなく復号可能および表示可能である。
−いわゆる予測（Ｐ）画像のカテゴリ、予測画像（predictive image）は表示されるためにこの予測画像に先行して伝送された内部画像または予測画像の復号を要求する。
−いわゆる二重予測（Ｂ）画像のカテゴリ、二重予測画像（bi-predictive image）は表示されるためにこの二重予測画像に前後して表示される画像の復号を要求する。
【０００８】
本発明は、規定のモードすなわち規定の方向および規定の速度による画像の表示が画像のかなりの処理、したがって復号装置において相当なリソースを必要とするという発見から生じたものである。
【０００９】
例えば、ＭＰＥＧ規格による画像の符号化を考慮する場合、二重予測画像の表示は先行して表示された画像およびこの二重予測画像に続いて表示される画像の復号を要求し、端末の表示モードは符号化された画像の全セットが表示されるような速度に対応する場合に、復号されたこれら３つの画像が表示される。
【００１０】
これに対して、例えば加速された表示に関して、表示の速度が二重予測画像は表示されるが、これに前後する画像は表示されないような速度である場合、これらの前後する画像は表示されないにもかかわらず、二重予測画像を表示できるようにするために伝送および復号されなければならない。
【００１１】
表示モードによっては、表示されない第１の画像が第２の画像を復号できるようにするために伝送および復号されなければならないことは明らかである。
【００１２】
同様に、符号化された画像の全セットが表示されるような表示モードの場合には、予測画像は表示されるために、先行して伝送されまた先行して復号された画像を用いて復号される。
【００１３】
これに対し、表示の速度が加速されて予測画像に先行する画像が表示されない場合、この先行する画像はそれにもかかわらず、予測画像を復号できるようにするために伝送されて復号される。
【００１４】
最後の例によれば、表示の方向がこれらの画像の伝送順序に対応する場合には、予測画像は表示されるために先行して復号された画像を用いて復号される。
【００１５】
しかしながら表示の方向が逆転すると、予測画像の復号はこの予測画像に先行して伝送された画像の復号を、この先行画像が予測画像の表示後しか場合によっては表示されない場合であっても要求する。
【００１６】
換言すれば、符号化された画像が処理される順序は表示が逆転されたモードには適しておらず、これによってこれらの画像の処理は複雑にされ、表示ラグを増大させる。実際の処理は、必要とされるメモリ容量および使用されるプロセッサの性能に関して膨大なリソースを伴うストリームの構造の分析、画像の再配置、多数の復号を要求する。
【００１７】
これらの欠点は符号化された画像がサーバによって１つまたは複数の遠隔表示端末へと伝送される場合に一層顕著になる。殊に、復号の複雑性およびこの復号に必要とされるラグに関する欠点に加え、伝送リソースは第２の符号化された画像の復号を実施するために必要とされる、表示されない第１の符号化された画像を伝送するために使用される。
【００１８】
本発明はこれらの欠点のうちの少なくとも１つを改善する。本発明はディジタル画像の処理方法に関し、これらの画像は種々の表示モードを使用してサーバからデコーダに伝送され、画像は第１の画像の符号化が第２の画像を符号化するために使用されるような依存的なやり方で符号化される。
【００１９】
本発明によれば、サーバからデコーダへの画像の伝送の順序はこれらの画像とデコーダによって要求される表示モードとの関係に応じて決定される。
【００２０】
そのような方法によって、ディジタル画像の伝送は復号装置における処理を可能な限り能率的に実施できるように表示モードに適応させることができる。
【００２１】
符号化された画像がサーバによって端末に伝送される場合には、本発明は制限された数の画像しか伝送しないことによって伝送ネットワークの使用を制限することができる。
【００２２】
有利な実施形態によれば、デコーダによって使用される表示モードがサーバに伝送されるので、サーバはデコーダによって使用される表示モードに応じて画像の伝送を実施する。
【００２３】
これにより画像を使用する１つまたは複数のデコーダとサーバとの間で伝送されるこれらの画像の数を低減することができる。したがってデコーダはこれらのデコーダが動作するモードをサーバに表すことができ、したがってサーバはこのモードに応じてイメージの伝送を適応させる。
【００２４】
有利な実施形態によれば、サーバが符号化された画像をデコーダに伝送する場合、サーバはこの伝送に並行して、デコーダによる各画像の処理を可能にする情報を包含する各画像に関する命令を伝送する。
【００２５】
画像はサーバからデコーダに符号化の順序にもはや対応する必要はない順序で伝送される。ＭＰＥＧ−２規格により符号化された画像の場合、画像が符号化された順序とは異なる順序で伝送されるので、ストリームはＭＰＥＧ−２規格による符号化に応じる必要なくサーバからデコーダに伝送される。したがって、データと共に伝送される命令によってデータが符号化された基準にストリームはもはや応じていなくても、デコーダはストリームの画像を復号することができる。
【００２６】
有利な実施形態によれば情報は、
−前述の画像が表示されるべき否かを指示するフィールドと、
−前述の画像が復号されるべきか否かを指示するフィールドと、
−前述の画像が復号後にデコーダのどのメモリバッファに記録されるべきかを指示するフィールドと、
−前述の画像の復号に使用される画像を包含するメモリバッファのインデクス番号を指示するフィールドと、
−画像の表示方向を指示するフィールドと
を包含する。
【００２７】
この情報は、デコーダが受信する画像を処理すべきやり方、またこの画像を記録すべき場所をデコーダに通知する。
【００２８】
有利な実施形態によれば、端末が符号化された画像および各画像に関連する命令を受信すると、命令は第１のメモリバッファに伝送され、その一方で符号化された画像は別のメモリバッファに伝送される。
【００２９】
有利な実施形態によれば第１のメモリバッファに記憶された命令は、前述のメモリバッファに記憶された順序に応じて処理される。
【００３０】
有利な実施形態によれば、表示の方向すなわち画像が表示される順序によって、また可変数の画像が同一に処理される画像のグループについて表示されるような速度によっても定義される表示モードが使用される。
【００３１】
ビデオシーケンスの復号を管理するディジタルデコーダは頻繁に特別なモード、例えば高速早送り、スロー再生、巻戻しを処理する必要がある。
【００３２】
有利な実施形態によれば、デコーダが表示モードを変更すると、第１のメモリバッファのサイズが低減される。
【００３３】
このようにして、メモリバッファの深さを適応させることができ、また例えば、表示速度が低下したときにはメモリバッファの深さを低減させることができる、または表示速度が上昇したときにはメモリバッファの深さを増大させることができる。
【００３４】
このことは、デコーダにおける待ち時間を低減することができ、したがってデコーダの応答時間を改善することができる。このことは表示モードの変更の間に殊に有利であることを証明できる。
【００３５】
有利な実施形態によれば、デコーダが表示モードを変更すると、第１のメモリバッファは空にされる。
【００３６】
これにより、表示モードの変更が実施される場合にはデコーダにおける待ち時間を低減することもできる。
【００３７】
本発明はまたディジタル画像を処理する装置にも関し、この装置は種々の表示モードを使用してこれらの画像をサーバからデコーダに伝送する手段を包含し、画像は第１の画像の符号化が第２の画像を符号化するために使用されるような依存的なやり方で符号化される。
【００３８】
本発明によれば、前述の装置はサーバからデコーダへの画像の伝送の順序を、これらの画像とデコーダによって要求される表示モードとの関係に応じて決定する手段を包含する。
【００３９】
最後に、本発明に関連する方法を後述するような公知のデコーダにおいても容易に実現できることを言及しておく。
【００４０】
本発明はまたコンピュータプログラム製品に関し、このコンピュータプログラム製品は、このプログラムがコンピュータにおいて実行されるときに、本発明の実施形態のうちの１つに応じてディジタル画像を処理する方法のステップの実行を指示するプログラムコードを含む。
【００４１】
本発明の別の特徴および利点は、図面を参照する非制限的な例を用いた以下の説明より明らかになり、ここで、
−図１ａは順方向モードおよび逆方向モードにおけるデータの表示の順序を表し、
−図１ｂ、１ｃおよび１ｄは種々の表示モードによる画像の伝送の順序の例を表し、
−図２は本発明の実施形態に関連するサーバおよび２つの端末を表す。
【００４２】
図１ａはＭＰＥＧ−２規格により符号化された画像のシーケンスを表す。
【００４３】
画像は、前述した３つのモードＩ，ＢまたはＰにより符号化された画像を含むシーケンス（ＧＯＰ，Group of Picture）にグループ分けされる。
【００４４】
図示した実施形態においてはシーケンスは１２の画像を包含する。図１ａ，１ｂ，１ｃおよび１ｄにおいては、Ｉ，ＢおよびＰで示されている画像は１つのＧＯＰに属し、Ｉ'，Ｂ'およびＰ'によって示されている画像は別のＧＯＰに属し、Ｉ''，Ｂ''およびＰ''によって示されている画像はさらに別のＧＯＰに属する。
【００４５】
表示モードが順方向の場合には、画像はこれらの画像の符号化の順序に対応する順序で表示され、画像Ｂ０が最初に表示され、Ｂ１，Ｉ２，Ｂ３．．．Ｐ１１．．．がこれに続く。
【００４６】
表示モードが逆方向の場合には、先ず画像Ｐ１１が表示されＢ１０，Ｂ９９，．．．，Ｂ０．．．がこれに続く。したがって後者の場合には画像はこの画像が符号化された順序では表示されず、このことは、表示装置に画像を伝送するためにこれらの画像の復号に使用される復号装置における後続の著しい制約および著しいリソースを要求する。
【００４７】
図１ｂには、表示モードが順方向の場合の本発明の実施形態による、サーバからデコーダへと伝送される画像のシーケンスを示す。
【００４８】
デコーダにおいて必要とされるリソースを制限するために、画像はデコーダにおける処理を低減することができる順序で伝送される。
【００４９】
したがって、画像は次の順序で伝送される：Ｉ２，Ｂ０，Ｂ１，Ｐ５，Ｂ３，Ｂ４，Ｐ８，Ｂ６，Ｂ７，Ｐ１１，Ｂ９，Ｂ１０．．．。
【００５０】
図１ｃには、表示モードが加速された順方向の場合の本発明の実施形態による、サーバからデコーダへと伝送される画像のシーケンスを示す。
【００５１】
タイプＢの画像はデコーダに伝送されない。ＩおよびＰの画像がサーバからデコーダに次の順序で伝送される：Ｉ２，Ｐ５，Ｐ８，Ｐ１１．．．。
【００５２】
図１ｄには、表示モードが逆方向の場合の本発明の実施形態による、サーバからデコーダへと伝送される画像のシーケンスを示す。
【００５３】
同一のＧＯＰの画像は方向において次のように伝送される：Ｉ２，Ｐ５，Ｐ８，Ｂ１０，Ｂ９，Ｉ２，Ｐ５，Ｂ７，Ｂ６，Ｉ２，Ｂ４，Ｂ３。
【００５４】
したがって特定の画像（これらの画像についてはシーケンスの下に×印が示されている）がデコーダにおける処理を容易にするために数回伝送される。
【００５５】
図２にはサーバ２０２と、記録媒体（ハードディスク、ＣＤ、ＤＶＤ）に記録されている画像を表示するために使用される端末２０６および２０８が示されている。
【００５６】
本発明によれば、サーバ２０２は符号化された画像Ｍｉ'を依存的なやり方で、すなわち第１の画像Ｍｊ'は符号化された第２の画像Ｍｋ'を用いて符号化されるようにして、端末２０６および２０８に伝送される。
【００５７】
さらには、これらの画像Ｍｉ'はこの画像Ｍｉ'に関連する表示モードを識別する命令Ｃｉ'と共に伝送され、ここで表示モードは殊に表示の方向および速度によって規定されている。
【００５８】
符号化された画像Ｍｉ'および命令Ｃｉ'のそのような伝送を実施するために、端末のユーザによって選択された表示モードに関連する情報Ａ２０６が端末２０６によってサーバ２０４に伝送される。
【００５９】
端末２０６によって使用される表示モードに応じて、図１ｂ，１ｃおよび１ｄに表されているような画像の種々のシーケンスが端末２０６に伝送され、これらの画像の処理は最適化される。
【００６０】
サーバ２０２によって装置２０６および２０８に伝送される命令Ｃｉ'およびＣｉ''は、伝送される画像Ｍｉ'，Ｍｉ''および命令Ｃｉ'，Ｃｉ''に実施されるべき処理の監視を装置が実行できるように、この装置２０６および２０８によって実施されるべき復号および表示に関連する情報を含む。
【００６１】
以下の表１は命令Ｃｉ'およびＣｉ''の情報（リストは網羅的ではない）を示す。
【００６２】
【表１】
2005534259.tif 000003
【００６３】
この情報に基づきサーバ２０２は端末２０６の動作をモデリングし、殊に利用可能なメモリ容量に関して、処理容量および端末２０６の記憶リソースよりも大きい量のデータが伝送されないようにモデリングする。
【００６４】
データＭｉ'および命令Ｃｉ'を包含する信号が端末２０６によって受信されると、信号がデマルチプレクサ２１０によって処理され、命令Ｃｉ'はレジスタ２１２に伝送され、符号化された画像Ｍｉ'はストレージメモリ２１４に伝送される。レジスタ２１２は有利にはＦＩＦＯ（first-in first-outの頭文字）タイプのメモリとして実施されている。
【００６５】
この実施形態においては、このメモリは２つのサブメモリ２１４ａおよび２１４ｂを包含し、これらのサブメモリは受信したオーディオ情報およびビデオ情報をそれぞれ記憶するために使用される。
【００６６】
記憶レジスタ２１２は命令Ｃｉ'をこのレジスタ２１２への記憶順序に対応する順序で制御装置２１６に伝送する。
【００６７】
命令Ｃｉ'が制御装置２１６によって受信されると、制御装置２１６は記憶メモリ２１４から画像の復号に使用されるメモリバッファ２２０への符号化された画像の伝送を素子２１８を用いて指示する。モジュール２１８にはメモリバッファ２１４ｂへの新たな画像の到着が通知され、制御装置２１６によって再構成メモリバッファ２２０における画像の復号の開始が命令される。
【００６８】
復号された画像は表示制御装置２００を用いて表示部２２２に伝送される。
【００６９】
この有利な実施形態では、４つのメモリバッファ２２０は、殊に表示モードが変更される場合に、画像の処理率を上昇させるために使用される。
【００７０】
表示モードが変更されると情報Ａ２０６がサーバ２０２に伝送され、このサーバ２０２は新たな表示モードに応じて画像の符号化を修正してこの新たな表示モードに関連する符号化された新たな画像Ｍｉ''を命令Ｃｉ''を用いて伝送する。
【００７１】
有利な実施形態においては、レジスタ２１２はユーザが表示モードを変更した場合の待ち時間を低減することを可能にする適応的な深さを有する。したがってレジスタ２１２に記憶された命令は消去され、次の表示モードへの速やかな移行を可能にする。
【００７２】
変形形態においては、レジスタ２１２は表示モードが変更されると空にされ、このことは表示モードの変更中の待ち時間の低減も可能にする。
【００７３】
フィールドＣｏｍｍｍａｎｄＩｄによって各画像が対応する表示モードを確認することができる。この識別子は最初に表示モードと共にデコーダ２０６からサーバ２０２に伝送される。次いでこの表示モードに対応する各画像が図１ｂ，１ｃまたは１ｄに示されたシーケンスにしたがい識別子ＣｏｍｍｍａｎｄＩｄと共に伝送される。したがって表示モードの変更中には、デコーダが先行する表示モードに対応する画像を受信すると、デコーダはレジスタ２１２を空にすることができる。
【００７４】
変形形態においては、メモリバッファ２２０は符号化された画像のカテゴリ、すなわち内部画像、二重予測画像または予測画像にとって固有のものである。
【００７５】
画像がＭＰＥＧ−２規格にしたがい符号化される場合には、トランスポートタイプパケットに包含されているＣＣフィールド（≪continuity counter≫を表す頭文字）は、符号化とは異なる順序で画像が伝送されるのでもはや有効ではない。ストリームにおける不連続性を回避するために、ＣＣフィールドの所望の値を得るようパディングパケットを挿入することも考えられる。別の変形形態によれば、デコーダにおいてＣＣフィールドを無視することも可能である。
【００７６】
画像がＭＰＥＧ−２規格により符号化される場合には、命令Ｃｉ'，Ｃｉ''を特別なパケット識別子（ＰＩＤ）を有するＴＳパケットを使用してプライベートセクションに挿入することができる。この場合デコーダはＰＡＴフィールドおよびプライベートテーブルを復号する。
【００７７】
命令Ｃ'ｉおよびＣ''Ｉを、識別子のみを包含してデータは包含しない、このために特別に設けられたＴＳタイプのパケットに挿入することもできる。
【図面の簡単な説明】
【００７８】
【図１ａ】順方向モードおよび逆方向モードにおけるデータの表示の順序。
【図１ｂ】種々の表示モードによる画像の伝送の順序の例。
【図１ｃ】種々の表示モードによる画像の伝送の順序の例。
【図１ｄ】種々の表示モードによる画像の伝送の順序の例。
【図２】本発明の実施形態に関連するサーバおよび２つの端末。
【図１ａ】
2005534259.tif 000004
【図１ｂ】
2005534259.tif 000005
【図１ｃ】
2005534259.tif 000006
【図１ｄ】
2005534259.tif 000007
【図２】
2005534259.tif 000008
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
ディジタル画像を処理する方法であって、
種々の表示モードを使用してサーバ（２０２）からデコーダ（２０８，２０６）に画像（Ｍｉ'，Ｍｉ''）を伝送し、該画像は第１の画像の符号化が第２の画像を符号化するために使用される依存的なやり方で一度符号化する、ディジタル画像を処理する方法において、
表示されるべき各画像は復号のために必要とされる一度符号化されたストリームの画像と一緒に１つのグループを形成し、各グループを別のグループに続いて前記サーバから前記デコーダに表示される順序で伝送することを特徴とする、ディジタル画像を処理する方法。
【請求項２】
前記デコーダ（２０６，２０８）によって使用される表示モードを前記サーバ（２０２）に伝送し、該サーバ（２０２）は前記デコーダ（２０６，２０８）によって使用される前記表示モードに応じて伝送を実施する、請求項１記載の方法。
【請求項３】
前記サーバ（２０２）が前記デコーダ（２０６，２０８）に符号化された画像（Ｍｉ'，Ｍｉ''）を伝送する時、前記サーバは該符号化された画像の伝送に並行に、前記デコーダによる各画像の処理を可能にする情報を包含する各画像に関連する命令（Ｃｉ'，Ｃｉ''）を伝送する、請求項３記載の方法。
【請求項４】
前記情報は
−前記画像は表示されるべきか否かを指示するフィールド（Ｄｉｓｐｌａｙ）と、
−前記画像は復号されるべきか否かを指示するフィールド（Ｄｅｃｏｄｅ）と、
−前記画像（Ｍｉ'）を復号後に前記デコーダ（２０６）のどのメモリバッファに記憶するかを指示するフィールド（ＢｕｆｆＮｒ）と、
−前記画像の復号に使用される画像を包含する前記メモリバッファのインデクス番号を指示するフィールド（Ｐ＿ＢｕｆｆＮｒ，Ｉ＿ＢｕｆｆＮｒ）と、
−前記画像の表示の方向を指示するフィールド（Ｆｏｒｗａｒｄ）とを包含する、請求項３記載の方法。
【請求項５】
端末が符号化された画像（Ｍｉ'）および各画像に関連する命令（Ｃｉ'）を受信すると、該命令（Ｃｉ'）を第１のメモリバッファ（２１２）に伝送し、符号化された画像を別のメモリバッファ（２１４ｂ）に伝送する、請求項４記載の方法。
【請求項６】
前記第１のメモリバッファ（２１２）に記憶されている前記命令を該メモリバッファに記憶された順序に応じて処理する、請求項３から５までのいずれか１項記載の方法。
【請求項７】
表示の方向、すなわち画像が表示される順序によって、ならびに可変数の画像が同一に処理される画像のグループについて表示される表示の速度によって規定される表示モードを使用する、請求項１から６までのいずれか１項記載の方法。
【請求項８】
前記デコーダが表示モードを変更すると前記第１のメモリバッファ（２１２）のサイズを低減する、請求項５から７までのいずれか１項記載の方法。
【請求項９】
前記デコーダが表示モードを変更すると前記第１のメモリバッファ（２１２）を空にする、請求項５から８までのいずれか１項記載の方法。
【請求項１０】
ディジタル画像を処理する装置であって、
種々のモードを使用してサーバ（２０２）からデコーダ（２０６，２０８）に画像を伝送する手段を有し、前記画像（Ｍｉ'，Ｍｉ''）は第１の画像の符号化が第２の画像を符号化するために使用される依存的なやり方で一度符号化されており、表示されるべき各画像は復号のために必要とされる一度符号化されたストリームの画像と一緒に１つのグループを形成する、ディジタル画像を処理する装置において、
各グループを別のグループに続いて前記サーバから前記デコーダに表示される順序で伝送する手段を有し、
有利には請求項１から９までのいずれか１項記載の方法の実施に適していることを特徴とする、ディジタル画像を処理する装置。
【請求項１１】
コンピュータプログラム製品において、
プログラムがコンピュータにおいて実行される場合、請求項１から９までのいずれか１項記載のディジタル画像を処理する方法のステップを実行するプログラムコード指示を包含することを特徴とする、コンピュータプログラム製品。
【国際調査報告】
2005534259.tif 000009
2005534259.tif 000010
2005534259.tif 000011